(57)【要約】【課題】開閉部材に配設した制御装置と外枠に配設した電気部品との配線の接続作業性を向上する。【解決手段】外枠１１に中枠１６がヒンジ機構１７,１８を介して開閉自在に軸支される。中枠１６に配設した発光音声制御装置２５から導出した第１の配線２６は、ヒンジ機構１７,１８の配設側に導びかれ、配線保持部５６で保持された状態で垂れ下がる。外枠１１の幕板１３ｂに配設したスピーカ２７から導出した第２の配線２８は、ヒンジ機構１７,１８の配設側に導びかれる。配線保持部５６の下方に臨む外枠１１に、第１および第２接続部５４,５５を備える中継基板３５を配設した中継基板ベース３６が取付けられる。第１接続部５４に第１の配線２６を接続すると共に、第２接続部５５に第２の配線２８を接続することで、発光音声制御装置２５とスピーカ２７とが電気的に接続される。【選択図】図１
2006020799.tif 000002
【特許請求の範囲】
【請求項１】
外枠に対して開閉部材が一側部に設けられたヒンジ機構を介して開閉自在に軸支され、前記開閉部材に配設した制御装置に接続する第１の配線と、前記外枠の下部に位置する遮蔽板に配設した電気部品に接続する第２の配線とを電気的に接続するよう構成した遊技機において、
前記外枠におけるヒンジ機構の配設側の下部に、相互に電気的に接続された第１の接続部および第２の接続部を有する中継基板が、基板取付手段を介して取付けられ、
前記第１の配線を第１の接続部に着脱自在に接続すると共に、前記第２の配線を第２の接続部に着脱自在に接続することで、両配線を電気的に接続するよう構成した
ことを特徴とする遊技機。
【請求項２】
前記基板取付手段は、前記外枠に対して取着手段を介して着脱自在に取付けられる中継基板ベースであり、該中継基板ベースに前記中継基板が配設されている請求項１記載の遊技機。
【請求項３】
前記外枠に取付けられた前記中継基板における第１の接続部は、該外枠における前記遮蔽板の上縁部と前記開閉部材の下縁部とが整合する縁部よりも上側に位置するよう設定されると共に、前記第１の配線を第１の接続部から取外して垂れ下がる状態としたときに、該第１の配線は、その先端部が前記遮蔽板の上縁部に届かない長さに設定されている請求項１または２記載の遊技機。
【請求項４】
前記外枠に取付けられた前記中継基板における第１の接続部は、前記外枠の内側面から内側に離間した位置に臨むと共に、その接続口が上を向くように設けられ、前記第１の配線は、第１の接続部に対して上方から略真っ直ぐに垂らして上側から接続されるよう構成した請求項１〜３の何れかに記載の遊技機。
【発明の詳細な説明】
【技術分野】
【０００１】
本発明は、遊技機に関し、更に詳細には、外枠にヒンジ機構を介して開閉自在に軸支された開閉部材を備え、該開閉部材に配設した制御装置と外枠に配設した電気部品とを電気的に接続するようにした遊技機に関するものである。
【背景技術】
【０００２】
代表的な遊技機であるパチンコ機は、遊技店の設置枠台(通称「島」)に固定される外枠に対して、打球発射装置から発射された遊技球が流下する遊技領域を画成した遊技盤や遊技球の払出しに係る球払出通路が形成された機構セット盤等を備えた中枠が、ヒンジ機構を介して開閉自在に軸支されている。また中枠側には、パチンコ機の遊技を演出するためのランプユニットやスピーカユニット等の各種の電気部品を制御するための、各種の制御装置が配設されている。
【０００３】
前述したように中枠には、パチンコ機を構成する各種構成部品が搭載されるため、近年では、前記電気部品の一部を、外枠の下部に位置する、所謂幕板に配設することにより、中枠側でのスペース的な制限を抑える構成が採用されている。
【０００４】
ところで、前述したように、前記中枠は外枠に対してヒンジ機構を介して開閉自在に軸支されることから、中枠に配設した制御装置と幕板に配設した電気部品とを配線によって電気的に接続した状態で中枠を開閉する際には、配線の長さにある程度の余裕がないと中枠の開閉をスムーズに行なうことができない反面、配線に余裕がある状態で中枠を閉じたときに中枠と外枠との間に配線が挟まってしまい、断線を引き起こす畏れがあった。
【０００５】
そこで、前記電気部品と制御装置とを電気的に接続するに際し、配線に着脱可能な接続部材や揺動可能な支持部材を設けることにより、中枠の開閉時に配線を挟み込んでしまうことを防止し得るようにしたものが提案されている(例えば、特許文献１参照)。
【特許文献１】特開２００３−１５４１３７号公報
【発明の開示】
【発明が解決しようとする課題】
【０００６】
前記接続部材は、各配線の端部に配設された雄雌のコネクタで構成され、両コネクタを直接接続するようにしている。この場合において、コネクタ自体は固定されていないため、接続作業に際しては一方のコネクタをしっかり掴んで保持した状態で、他方のコネクタを持って接続しなければならず、非常に煩わしく作業性に劣るものであった。また、両コネクタを外した状態では、制御装置の配線は垂れ下がってフリーとなっているため、このときに中枠を回動するとコネクタが他の構成部品に引掛かってしまい、他の構成部品のメンテナンス等の邪魔となる場合があり、またコネクタを取外す作業も煩わしい難点が指摘される。
【０００７】
なお、一方の配線に揺動可能な支持部材を設けた場合であっても、コネクタ同士の接続に際しては前述したと同様の問題があり、また両コネクタを外すことで制御装置の配線がフリーとなることに起因する問題も依然として内在している。
【０００８】
すなわち本発明は、前述した従来の技術に内在している前記課題に鑑み、これを好適に解決するべく提案されたものであって、開閉部材に配設した制御装置と外枠に配設した電気部品との配線の接続作業等に際しての作業性を向上し得る遊技機を提供することを目的とする。
【課題を解決するための手段】
【０００９】
前記課題を克服し、所期の目的を達成するために、本願発明に係る遊技機は、
外枠(11)に対して開閉部材(16)が一側部に設けられたヒンジ機構(17,18)を介して開閉自在に軸支され、前記開閉部材(16)に配設した制御装置(25)に接続する第１の配線(26)と、前記外枠(11)の下部に位置する遮蔽板(13b)に配設した電気部品(27)に接続する第２の配線(28)とを電気的に接続するよう構成した遊技機において、
前記外枠(11)におけるヒンジ機構(17,18)の配設側(31,33)の下部に、相互に電気的に接続された第１の接続部(54)および第２の接続部(55)を有する中継基板(35)が、基板取付手段(36)を介して取付けられ、
前記第１の配線(26)を第１の接続部(54)に着脱自在に接続すると共に、前記第２の配線(28)を第２の接続部(55)に着脱自在に接続することで、両配線(26,28)を電気的に接続するよう構成したことを特徴とする。
【００１０】
前記基板取付手段(36)は、前記外枠(11)に対して取着手段(52)を介して着脱自在に取付けられる中継基板ベース(36)であり、該中継基板ベース(36)に前記中継基板(35)が配設されるようにした。
【００１１】
前記外枠(11)に取付けられた前記中継基板(35)における第１の接続部(54)は、該外枠(11)における前記遮蔽板(13b)の上縁部(T)と前記開閉部材(16)の下縁部(L)とが整合する縁部よりも上側に位置するよう設定されると共に、前記第１の配線(26)を第１の接続部(54)から取外して垂れ下がる状態としたときに、該第１の配線(26)は、その先端部が前記遮蔽板(13b)の上縁部(T)に届かない長さに設定した。
【００１２】
前記外枠(11)に取付けられた前記中継基板(35)における第１の接続部(54)は、前記外枠(11)の内側面から内側に離間した位置に臨むと共に、その接続口(54a)が上を向くように設けられ、前記第１の配線(26)は、第１の接続部(54)に対して上方から略真っ直ぐに垂らして上側から接続した。
【発明の効果】
【００１３】
本発明の請求項１に係る遊技機によれば、各配線が接続される接続部を有する中継基板を外枠に取付けたから、該接続部は定位置に固定されており、接続部に対して配線を片手で容易に接続することができ、接続作業が簡単となる。また、電気部品の交換等に際して第２の配線を第２の接続部から取外しても、制御装置側の第１の配線は第１の接続部に接続したままの状態としておくことができ、従来のように両配線を取外すことで制御装置側の配線がフリーの状態となってしまうことに起因する前述した問題を招くことはない。
【００１４】
請求項２に係る遊技機によれば、中継基板ベースを介して中継基板を外枠に着脱自在に取付けるよう構成したから、中継基板のメンテナンスが容易で、故障時の交換作業も簡単に行なうことができる。
【００１５】
請求項３に係る遊技機によれば、外枠における遮蔽板の上縁部と開閉部材の下縁部とが整合する縁部よりも上側に第１の接続部を位置させると共に、第１の接続部から取外した第１の配線の先端部が遮蔽板の上縁部に届かない長さに設定したから、第１の配線を中継基板に接続した状態であっても接続していないフリーの状態であっても、該第１の配線が外枠と開閉部材との間に挟まれるのを確実に防止し得る。
【００１６】
請求項４に係る遊技機によれば、第１の接続部の接続口を上向きに設定したから、第１の配線を略真っ直ぐに配線することができ、開閉部材の開閉に際して第１の配線が該開閉部材と外枠との側部側で挟まれるのを防止し得ると共に、配線が捩れるのを抑制することもできる。
【発明を実施するための最良の形態】
【００１７】
次に、本発明に係る遊技機につき、好適な実施例を挙げて、添付図面を参照しながら、以下詳細に説明する。なお実施例では、遊技機としてパチンコ球を遊技媒体として使用する一般的なパチンコ機を例にして説明する。また、以下の説明において左・右とは、特に断りのない限り、図１に示すようにパチンコ機１０を裏側から見た場合において指称するものとする。
【実施例】
【００１８】
図１に示す如く、実施例に係るパチンコ機１０の外郭をなす外枠１１は、上辺を構成する上枠部材１２と、下辺を構成する下枠部材１３と、図１において左側の辺を構成する第１側枠部材１４および右側の辺を構成する第２側枠部材１５とから基本的に構成される。そして、これら４つの枠部材１２,１３,１４,１５を相互に連結固定することで、当該外枠１１は縦長矩形状の枠体として構成される。そして、この外枠１１が、遊技店の設置枠台(通称「島」)に設置固定されると共に、該外枠１１の開口前面側に、各種の遊技構成部材用の搭載枠ともされる中枠(開閉部材)１６が、右側部に配設された上下一対のヒンジ機構１７,１８(後述)および左側部に配設された施錠手段１９を利用して開閉および着脱可能に組付けられるようになっている。
【００１９】
前記中枠１６の表側には、所要の遊技領域を構成した遊技盤、遊技盤を透視保護するガラス板を組み付けた前枠、パチンコ球を貯留する上球皿、上球皿から溢れたパチンコ球を貯留し得る下球皿、遊技者の操作に応じて打球発射装置を駆動して、上球皿に貯留したパチンコ球を遊技領域に向けて発射させるハンドルユニット、および吸殻等を受ける灰皿等の各種構成部品(何れも図示せず)が配置されている。また前記中枠１６の裏側には、図１に示すように、中枠１６の外郭形状に略整合する矩形状に成形された機構セット盤２０が配設されており、該機構セット盤２０に、外部から供給されたパチンコ球が流下する球貯留排出経路２１や、該球貯留排出経路２１の下方に連通接続する球払出装置２２等が配設されている。なお、機構セット盤２０の下方には、パチンコ機１０を全体的に制御する主制御装置２３や、前記球払出装置２２を制御する払出制御装置２４等が設置されている。更に、前記主制御装置２３の上方には、該主制御装置２３に図示しない配線を介して接続されて、主制御装置２３の制御に基づいて遊技盤に設けられた電飾装置(図示せず)の発光、および後述するスピーカ(電気部品)２７,２７からの音の出力を制御する発光音声制御装置(制御装置)２５を配設してある。この発光音声制御装置２５から導出する第１の配線２６は、前記中枠１６の開閉動作を阻害しないよう前記ヒンジ機構１７,１８の配設側(右側部)まで延在させたもとで、後述する配線保持部５６を介して該配線保持部５６から略真っ直ぐ下方に延在させるよう構成されている。なお、実施例では、遊技盤や機構セット盤２０を備えた中枠１６の全体が開閉部材を構成するものであって、遊技盤や機構セット盤２０が開閉部材の一部を構成するものとして説明している。
【００２０】
前記外枠１１の下枠部材１３は、底板１３ａと、この底板１３ａの前端縁から所定高さで立上がって前面を構成する幕板(遮蔽板)１３ｂと、底板１３ａの長手方向両端部に設定される左右から所定高さで立上がって側面を構成する左側の第１側板１３ｃおよび右側の第２側板１３ｄから、上方および後方に開放する箱枠状に形成されている。前記幕板１３ｂの裏側には、パチンコゲーム中に発生される様々な遊技状態に応じて各種効果音を出力し得るスピーカ２７が左右に離間して配設され、各スピーカ２７に一端が接続される夫々の第２の配線２８の他端は、後述する中継基板３５の第２の接続部５５に着脱自在に接続されるよう構成される。すなわち、スピーカ２７,２７から導出した第２の配線２８,２８は、前記ヒンジ機構１７,１８の配設側(右側部)まで延在させたもとで、その先端に配設された共通のコネクタ２８ａを第２の接続部５５に着脱自在に接続するようになっている。
【００２１】
前記外枠１１の上枠部材１２における図１の右端部には、前記上ヒンジ機構１７を構成する上支持受具２９が配設されており、該上支持受具２９に下向きに形成した図示しない上支軸を、前記中枠１６の対応する右上端部に配設した上ヒンジ機構１７を構成する上連結金具３０の図示しない第１軸孔に挿通するようになっている。同様に、前記外枠１１の下枠部材１３における前記第２側板１３ｄには、前記下ヒンジ機構１８を構成する下支持受具３１が配設されており、該下支持受具３１に上向きに形成した図示しない下支軸を、前記中枠１６の対応する右下端部に配設した下ヒンジ機構１８を構成する下連結金具３２の図示しない軸孔に挿通するよう構成される。すなわち、外枠１１に配設した上下の支持受具２９,３１の支軸を中枠１６の上下の連結金具３０,３２の軸孔に夫々挿通することで、該中枠１６は外枠１１に対して右端側(正面視においての左端側)を支点として開閉自在に軸支されている。
【００２２】
前記下枠部材１３の第２側板１３ｄには、図３に示す如く、前記幕板１３ｂより裏側において、枠内側(第１側板１３ｃを指向する側)に向けて水平に延出する水平支持部３３が設けられている。この水平支持部３３は、第２側板１３ｄの前後幅方向の全長に亘って水平に延出する第１支持部３３ａと、該第１支持部３３ａにおける延出端の略前半部側から更に枠内側に水平に延出する第２支持部３３ｂとから基本的に構成され、第２支持部３３ｂの後端は、第２側板１３ｄの前後幅方向の略中央に位置するよう設定される。また第２支持部３３ｂの後端には当接部３４が垂設され、該当接部３４に後述する中継基板３５の第２位置決め板５０が当接して前方(幕板側)への位置規制を行なうよう構成される。
【００２３】
図３に示すように、前記下ヒンジ機構１８の前記下支持受具３１は、上下方向に延在する取付面部３１ａと、該取付面部３１ａの下端縁から枠内側に向けて折り曲げ形成された水平片部３１ｂとから略逆Ｌ字状に成形されて、該取付面部３１ａを下枠部材１３における第２側板１３ｄの内面に当接すると共に、水平片部３１ｂを前記水平支持部３３に載置した状態で、当該下支持受具３１は下枠部材１３に取付けられている。なお、水平片部３１ｂは、機前方に所定長さで延出し、その上面に前記下支軸が突設してある。また水平片部３１ｂの後部側は、前後方向の所定長さに亘り、前記第２側板１３ｄの水平支持部３３における第１支持部３３ａの延出長さと同じとなるよう切欠かれている。但し、その切欠きの長さは、水平支持部３３における第２支持部３３ｂに設けた当接部３４が後方に露出する寸法に設定される。
【００２４】
前記発光音声制御装置２５とスピーカ２７,２７とを電気的に接続する中継基板３５が着脱自在に配設される基板取付手段としての中継基板ベース３６は、前記外枠１１における下ヒンジ機構１８を構成する下支持受具３１、および前記下枠部材１３(第２側板１３ｄ)の水平支持部３３(ヒンジ機構の配設側の下部)に対して着脱自在に取付けられるよう構成される。この中継基板ベース３６は、図４および図５に示す如く、その矩形状に形成された本体３７の前後および上下の各端部に、前板３８,後板３９,上板４０および下板４１が夫々左右方向に延出するように一体に成形され、本体３７の一側面側(外枠１１に対する取付状態で枠内側を向く面)に、中継基板３５の装着凹部４２が矩形状に画成される。本体３７の装着凹部４２が画成される一側面には、その上側の前後に離間する位置に、支持突起４３が夫々突設されると共に、下端部の前後略中央にネジ孔４４ａを螺刻したボス４４が突設され、これら支持突起４３,４３およびボス４４に中継基板３５の一方の側面を当接するように装着凹部４２に収容することで、該中継基板３５は本体３７に対して平行に臨むように取付けられる。また前後の板３８,３９と上板４０との隅部に、装着凹部側に延出する押え部４５が夫々設けられ、両押え部４５,４５が装着凹部４２に収容された中継基板３５の他方の側面に当接することで、該中継基板３５の脱落を防止するようになっている。そして、中継基板３５のボス４４と対応する位置に穿設した通孔(図示せず)に外方から挿通したネジ４６をボス４４のネジ孔４４ａに螺挿することで、中継基板ベース３６に中継基板３５が位置決め固定されるようにしてある。
【００２５】
前記中継基板ベース３６における本体３７の下端に設けられた下板４１の図６における左端部には、その後端から前側への所定長さの領域に、下方に所定長さで延出する第１位置決め板４７が折曲形成されると共に、該第１位置決め板４７の下端には、右方に向けて下板４１と略平行に延出する挟持片４８が突設されている。この挟持片４８と下板４１との上下の離間間隔は、前記下枠部材１３の水平支持部３３における第１支持部３３ａと下支持受具３１の水平片部３１ｂとを重ねた寸法と略同一に設定され、当該中継基板ベース３６の外枠１１に対する取付けに際しては、第１位置決め板４７を第１支持部３３ａと水平片部３１ｂとの延出端に当接して左右方向の位置決めを行なったもとで、挟持片４８と下板４１とで上下に重なっている水平支持部３３および水平片部３１ｂを上下から挟持することで上下方向の位置決めを行なうよう構成される。
【００２６】
図４および図５に示す如く、前記中継基板ベース３６における下板４１の左端部には、前記第１位置決め板４７の前端位置から該下板４１の前端までの間に、左方に更に水平に延出する延出部４９が形成されると共に、該延出部４９の後端には、前記第１位置決め板４７と直交する関係の第２位置決め板５０が同一長さで垂設され、該第２位置決め板５０が前記水平支持部３３に設けた当接部３４に後側から当接するよう構成される。また延出部４９の左端部には、下方に向けて第３位置決め板５１が垂設されると共に、該第３位置決め板５１の下端には、右方に延出部４９(下板４１)と略水平に延出する取着手段としてのフック５２が設けられている。このフック５２は、第３位置決め板５１に対して上下方向に弾性変形可能に構成され、その延出端に形成した係合部５２ａを前記水平支持部３３の第２支持部３３ｂに係合するよう構成される(図７参照)。なお、フック５２の左端には、左方に延出する摘み片５２ｂが一体的に形成され、該摘み片５２ｂを上向きに変位させることで、フック５２の係合部５２ａが下方に変位して第２支持部３３ｂから離脱するようになっている。
【００２７】
前記上板４０の上面には、前後方向に所定間隔離間して複数のリブ５３が平行に設けられており、各リブ５３の上面は、図６および図７に示すように右側から左側(枠内側)に向かって下方傾斜するよう設定される。すなわち、外枠１１に取付けられた中継基板ベース３６に対して上方から落下するパチンコ球がリブ５３の上面に当接した際には、その傾斜によってパチンコ球を枠内側に案内して、ベース上面にパチンコ球が溜ることを防ぐようにしてある。
【００２８】
前記中継基板ベース３６を介して外枠１１に取付けられる中継基板３５は、図６または図７に示す如く、前記第２側枠部材１５の内側面(外枠１１の内側面)と平行に延在すると共に、該内側面から離間する他方の側面(枠内側を指向する面)に、第１および第２の接続部５４,５５が配設されている。すなわち、図２に示す如く、中継基板３５における前側の上部位置に、前記発光音声制御装置２５から導出する第１の配線２６が着脱自在に接続される第１の接続部５４が配設されると共に、その後側の下部位置には、前記スピーカ２７,２７から導出する第２の配線２８が着脱自在に接続される第２の接続部５５が配設されており、両接続部５４,５５は相互に電気的に接続されている。また第１の接続部５４は、その接続口５４ａを上向きとしており、上方から垂れ下がる第１の配線２６を容易に接続し得るようにしてある。更に第２の接続部５５は、その接続口５５ａが枠内側(スピーカ２７の配設側)に向けられており、前記幕板１３ｂに配設されている前記スピーカ２７,２７から延出する第２の配線２８を簡単に接続し得るようになっている。
【００２９】
前記外枠１１に中継基板ベース３６を介して取付けられた前記中継基板３５において、前記第１の接続部５４は、図２に示す如く、前記下枠部材１３に設けられた幕板１３ｂの上縁部Ｔと前記中枠１６の下縁部Ｌとが整合する縁部よりも上側に位置するよう設定される。また第１の接続部５４は、外枠１１における第２側枠部材１５の内側面から内側に所定間隔だけ離間した位置に臨み(図６および図７参照)、第１の配線２６の接続および取外し作業に際して外枠１１が邪魔とならないようにしてある。
【００３０】
前記機構セット盤２０におけるヒンジ機構１７,１８の配設側(外枠１１における第２側枠部材１５側)の端縁部には、図１に示す如く、前記外枠１１における第２側枠部材１５の内側面(外枠１１の内側面)および中枠１６の下縁部Ｌから離間した位置に、前記発光音声制御装置２５から導出する第１の配線２６を保持する配線保持部５６が形成されている。また配線保持部５６は、前記外枠１１に取付けられた前記中継基板３５における第１の接続部５４の略真上に位置し、該配線保持部５６で保持されて略真っ直ぐに垂らした第１の配線２６が、中継基板３５における第１の接続部５４に上側から接続されるようになっている。
【００３１】
前記第１の配線２６の先端にはコネクタ２６ａが配設され、該コネクタ２６ａが第１の接続部５４の上向きとなっている接続口５４ａに上側から着脱自在に接続される。また、前記配線保持部５６で保持されて垂れ下がる第１の配線２６は、そのコネクタ(先端部)２６ａが、前記幕板１３ｂの上縁部Ｔには届かない長さに設定されると共に、該幕板１３ｂの上縁部Ｔより上方に位置している前記中継基板３５の第１の接続部５４に接続した状態で、略弛みのない状態で略真っ直ぐに延在するよう設定される。
【００３２】
〔実施例の作用〕
次に、前述した実施例に係る遊技機の作用につき説明する。
【００３３】
前記中継基板ベース３６に中継基板３５を配設する場合は、該中継基板３５における接続部５４,５５が配設されていない一方の側面と本体３７とを対向し、該側面を前記支持突起４３,４３およびボス４４に当接するようにして前記装着凹部４２に収容する。このとき、中継基板３５の上端角部における他方の側面が、前記押え部４５,４５に当接して、中継基板３５が装着凹部４２から離間する方向への移動は規制される。この状態で、前記ネジ４６をボス４４のネジ孔４４ａに螺挿することで、中継基板ベース３６に対して中継基板３５は、前記本体３７と平行に臨む状態で位置決め固定される。
【００３４】
前記中継基板３５が固定された中継基板ベース３６を外枠１１に取付けるに際しては、該基板ベース３６における中継基板３５が配設される側とは反対側を、前記下枠部材１３における第２側板１３ｄに対向位置させたもとで、前記下板４１と挟持片４８との間に、上下に重なっている前記水平支持部３３の第１支持部３３ａと下支持受具３１の水平片部３１ｂが入るように(図６参照)、中継基板ベース３６を前記第２側板１３ｄに近づける。これにより、外枠１１に対して中継基板ベース３６の上下方向の移動が規制される。そして、中継基板ベース３６の第１位置決め板４７が、第１支持部３３ａおよび水平片部３１ｂの延出端に当接すると共に、第３位置決め板５１が第２支持部３３ｂおよび水平片部３１ｂの延出端に当接したときに、前記フック５２の係合部５２ａが第２支持部３３ｂに係合し、中継基板ベース３６は外枠１１に対する左右方向の位置決めがなされた状態で定位置に取付けられる。このとき、中継基板ベース３６の第２位置決め板５０が水平支持部３３に設けた当接部３４に当接することで、該基板ベース３６の外枠１１に対する前後方向の位置決めがなされる。すなわち、中継基板ベース３６は、外枠１１に対して上下、左右および前後の位置決めがなされた状態で取付けられる。
【００３５】
なお、前記中継基板ベース３６は、前記下枠部材１３に配設した下ヒンジ機構１８を構成する下支持受具３１を利用して外枠１１に取付けるようにしてあるから、中継基板ベース３６を取付けるための部位を別途設ける必要はなく、外枠１１の構成を簡単化して無駄を省きコストを抑制し得る利点がある。また中継基板ベース３６は、前記フック５２の摘み片５２ｂを上向きに変位させることで、前記係合部５２ａを第２支持部３３ｂから離脱して取外し得るようになっているので、前記中継基板３５のメンテナンスを外部で容易に行ない得ると共に、故障時の交換作業も簡単に行ない得る。
【００３６】
前述したようにして中継基板ベース３６を介して外枠１１に取付けられた中継基板３５に対して、図２に示す如く、前記幕板１３ｂに配設されているスピーカ２７,２７から導出する第２の配線２８,２８の先端に共通的に配設されているコネクタ２８ａを、前記第２の接続部５５に接続する。第２の接続部５５における接続口５５ａは、枠内側を指向しているから、スピーカ２７,２７から導出した第２の配線２８,２８のコネクタ２８ａの第２の接続部５５への接続は容易に行なわれる。同様に、第２の接続部５５からコネクタ２８ａを取外す場合も容易である。また中継基板３５は、中継基板ベース３６を介して外枠１１に位置決め固定されているから、第２の配線２８,２８におけるコネクタ２８ａの第２の接続部５５に対する接続および取外し作業は、何れも片手で簡単に行なうことができる。
【００３７】
前記中枠１６に配設された前記発光音声制御装置２５から導出する第１の配線２６に関しては、前記ヒンジ機構１７,１８の配設側に設けられている前記配線保持部５６に保持させた後、略真下に垂らした状態で、その先端に設けたコネクタ２６ａを前記中継基板３５における第１の接続部５４に接続する(図２参照)。これにより、中枠１６に設けた発光音声制御装置２５と外枠１１に設けたスピーカ２７,２７とが、中継基板３５を介して電気的に接続される。この場合に、第１の接続部５４の接続口５４ａは上方を指向しているから、配線保持部５６で保持されて垂れ下がる第１の配線２６のコネクタ２６ａの接続作業は容易となる。また、該コネクタ２６ａの第１の接続部５４からの取外しも容易である。更に、中継基板３５は、中継基板ベース３６を介して外枠１１に位置決め固定されているから、第１の配線２６におけるコネクタ２６ａの第１の接続部５４に対する接続および取外し作業は、何れも片手で簡単に行なうことができる。
【００３８】
前記第１の配線２６を中継基板３５の第１の接続部５４に接続した状態で、該第１の配線２６は略弛みのない状態で略真っ直ぐに延在しているから、外枠１１に対して中枠１６を開閉しても、該配線２６が外枠１１と中枠１６との側部間に挟まれるのは防止される。また第１の配線２６は、外枠１１に対する中枠１６の軸支側(ヒンジ機構１７,１８の配設側)において軸方向に略平行に延在しているから、中枠１６の開閉時に第１の配線２６が捩れるのは抑制される。なお、パチンコ機１０の球タンク等から裏側に落下したパチンコ球が、前記中継基板ベース３６におけるリブ５３の上面に当接した際には、その傾斜によって該パチンコ球が枠内側に案内され、ベース上面にパチンコ球が溜ることはない。また複数のリブ５３を設けることで、中継基板ベース３６の強度は向上する。
【００３９】
ここで、前記スピーカ２７,２７の交換等に際して、該スピーカ２７,２７と発光音声制御装置２５との電気的な接続を解除する場合に、実施例では前記中継基板３５の第２の接続部５５から第２の配線２８,２８のコネクタ２８ａを取外すだけでよく、発光音声制御装置２５から導出する第１の配線２６に関しては、中継基板３５における第１の接続部５４に接続したままとしておくことができる。すなわち、中枠１６側の第１の配線２６がフリーの状態となることはなく、この状態で中枠１６を開閉させたとしても、該第１の配線２６のコネクタ２６ａが他の構成部品の引掛かることは防止でき、該構成部品のメンテナンスの邪魔となることはなく、また引掛かったコネクタ２６ａを取外す煩雑な作業を招くこともない。
【００４０】
また、前記配線保持部５６で保持されて垂れ下がる第１の配線２６におけるコネクタ２６ａが、中枠１６の下縁部Ｌより上方に位置するよう設定している(幕板１３ｂの上端部に届かないよう設定している)から、前記中継基板３５のメンテンス等に際して第１の配線２６を中継基板３５から取外した状態で中枠１６を開閉しても、第１の配線２６が中枠１６と外枠１１(幕板１３ｂ)との間に挟まれて断線するのは防止される。
【００４１】
〔変更例〕
なお、本発明に係る遊技機としては、前述した実施例のものに限られるものではなく、種々の変更が可能である。
１．実施例では中継基板が配設された中継基板ベースを外枠に対して着脱自在に取付ける場合で説明したが、該中継基板ベース(基板取付手段)が外枠に直接設けられるものであってもよい。
２．実施例では、外枠に配設される電気部品としてスピーカを挙げたが、中枠側に配設される制御装置により制御される電気部品であれば、電飾装置等、その他の装置であってもよい。
３．実施例では、中継基板ベースに設けた取着手段としてのフックを介して外枠に取付けるよう構成したが、取着手段としてはフックに限らずネジ等であってもよく、また外枠側にフック等の取着手段が配設される構成を採用し得る。
４．実施例では、中継基板ベースを下ヒンジ機構を利用して取付けるよう構成したが、外枠に中継基板ベースを直に取付けるようにしてもよい。
５．実施例では、遊技機としてパチンコ機を採用したが、島に設置固定される外枠に対して開閉自在な開閉部材を備え、両者に設けられた制御装置と電気部品とを配線で接続する構成のものであれば、アレンジボール機やスロットマシン機等であってもよい。
【００４２】
本発明の具体的構成としては、以下のような限定が可能である。
〔付記１〕
請求項１〜４の何れかに記載の遊技機に関し、前記開閉部材(16)におけるヒンジ機構(17,18)の配設側において、前記外枠(11)の内側面および開閉部材(16)の下縁部(L)から離間した位置に前記第１の配線(26)を保持する配線保持部(56)が形成されると共に、該配線保持部(56)の略真下の位置に前記中継基板(35)における第１の接続部(54)が臨むよう設定され、前記配線保持部(56)に保持されて略真っ直ぐに垂らした第１の配線(26)を第１の接続部(54)に接続するよう構成する。
そして、付記１に係る遊技機によれば、外枠の内側面および開閉部材の下縁部から離間した位置に配設した配線保持部によって第１の配線を、略真っ直ぐに垂らした状態に保持し得るから、開閉部材の開閉に際して第１の配線が該開閉部材と外枠との側部側で挟まれるのをより確実に防止し得る。また第１の接続部は外枠の内側面から離間しているから、該接続部に対する第１の配線の接続作業は容易となる。
【００４３】
〔付記２〕
請求項２記載の遊技機に関し、前記中継基板ベース(36)の上面に複数のリブ(53)が形成され、該リブ(53)の上面は遊技球が接触した際にその方向を変更するよう傾斜される。
そして、付記２に係る遊技機によれば、中継基板ベースの上面に、傾斜するリブを形成したから、該ベース上に落下した遊技球の方向を変更して、該遊技球が中継基板ベースに引掛かって溜るのを防止し得る。また、中継基板ベースの強度を向上することができる。
【００４４】
〔付記３〕
請求項２または付記２記載の遊技機に関し、前記開閉部材(16)は、前記外枠(11)に対して上下一対のヒンジ機構(17,18)を介して開閉自在に軸支され、その下側のヒンジ機構(18)に前記中継基板ベース(36)が着脱自在に取付けられる。
そして、付記３に係る遊技機によれば、中継基板ベースをヒンジ機構に取付けるよう構成したから、外枠に中継基板ベースを取付けるための部位を別途設ける必要はなく、該外枠の構成を簡略化し得る。
【００４５】
〔付記４〕
請求項１〜４または付記１〜３の何れかに記載の遊技機に関し、前記中継基板(35)は、前記外枠(11)の内側面と平行に延在し、その枠内側を指向する面に前記第１および第２の接続部(54,55)が配設されている。
そして、付記４に係る遊技機によれば、外枠の内側面と平行に延在する中継基板の枠内側を指向する面に両接続部を配設したから、該接続部に対する配線の接続作業を容易に行なうことができる。
【図面の簡単な説明】
【００４６】
【図１】本発明の実施例に係るパチンコ機を示す背面図である。
【図２】実施例に係るパチンコ機の要部を、外枠に中継基板ベースを取付けた状態で背面側から示す概略斜視図である。
【図３】実施例に係るパチンコ機の要部を、外枠から中継基板ベースを取外した状態で背面側から示す概略斜視図である。
【図４】実施例に係る中継基板を取外した中継基板ベースを示す概略斜視図である。
【図５】実施例に係る中継基板を取付けた中継基板ベースを示す概略斜視図である。
【図６】実施例に係るパチンコ機の要部を、外枠に中継基板ベースを取付けた状態で示す背面図である。
【図７】実施例に係るパチンコ機の要部を、外枠に中継基板ベースを取付けた状態で示す縦断面図である。
【符号の説明】
【００４７】
１１ 外枠，１３ｂ 幕板(遮蔽板)，１６ 中枠(開閉部材)
１７ 上ヒンジ機構(ヒンジ機構)，１８ 下ヒンジ機構(ヒンジ機構)
２５ 発光音声制御装置(制御装置)，２６ 第１の配線，２７ スピーカ(電気部品)
２８ 第２の配線，３１ 下支持受具(ヒンジ機構の配設側)
３３ 水平支持部(ヒンジ機構の配設側)，３５ 中継基板
３６ 中継基板ベース(基板取付手段)，５２ フック(取着手段)，５３ リブ
５４ 第１の接続部，５４ａ 接続口，５５ 第２の接続部，５６ 配線保持部
Ｔ 幕板(遮蔽板)の上縁部，Ｌ 中枠(開閉部材)の下縁部
【図１】
2006020799.tif 000003
【図２】
2006020799.tif 000004
【図３】
2006020799.tif 000005
【図４】
2006020799.tif 000006
【図５】
2006020799.tif 000007
【図６】
2006020799.tif 000008
【図７】
2006020799.tif 000009